(57)【要約】【課題】商品の発送を管理しながら、販売者（出品者）及び購入者（落札者）の手間を簡素化して、確実且つ安全に商品と代金との交換を実行することができる仲介サービス方法を提供することを目的とする。【解決手段】販売者端末（３０）から商品の配達伝票番号を受信し、宅配業者端末（５０）へ配達伝票番号を送信して配達伝票番号に対応した商品の配達状況情報を受信し、宅配業者端末から受信した配達状況情報に基づいて商品の配達が完了したか否かの判断を行い、商品の配達が完了したと判断した場合には金融機関端末（６０）に対して販売者への商品代金の入金指示を行う、ことを特徴とする仲介システム（２０）における仲介サービス方法。【選択図】図１
2008102842.tif 000002
【特許請求の範囲】
【請求項１】
販売者端末、配送拠点端末及び決済機関端末と接続された仲介システムにおける仲介サービス方法であって、前記仲介システムは、
前記購入者端末に取引ＩＤを送信し、
前記決済機関端末より前記取引ＩＤを含む入金情報を受信し、
前記入金情報に基づいて、商品に対応する入金がなされた否かの判断を行い、
商品に対応する入金がなされたと判断した場合には、前記販売者端末に対して配送ＩＤを送信し、
前記配送拠点端末から前記配送ＩＤを含む配送開始情報を受信し、
前記配送開始情報に基づいて、商品の配送が開始された否かの判断を行い、
商品の配送が開始されたと判断した場合には、前記決済機関端末に対して、販売者への商品代金の入金指示を行う、
ことを特徴とする仲介サービス方法。
【請求項２】
販売者端末、購入者端末、宅配業者端末及び決済機関端末と接続された仲介システムにおける仲介サービス方法であって、前記仲介システムは、
前記販売者端末から商品の配送伝票番号を受信し、
前記宅配業者端末へ前記配送伝票番号を送信して、前記配送伝票番号に対応した商品の配送状況情報を受信し、
前記宅配業者端末から受信した前記配送状況情報に基づいて、商品の配送が完了したか否かの判断を行い、
商品の配送が完了したと判断した場合には、前記決済機関端末に対して、販売者への商品代金の入金指示を行う、
ことを特徴とする仲介サービス方法。
【請求項３】
販売者端末、購入者端末、宅配業者端末及び決済機関端末と接続された仲介システムにおける仲介サービス方法であって、前記仲介システムは、
前記購入者端末から商品の返品に係る配送伝票番号を受信し、
前記宅配業者端末へ前記配送伝票番号を送信して、前記配送伝票番号に対応した商品の配送状況情報を受信し、
前記宅配業者端末から受信した前記配送状況情報に基づいて、商品の返品が完了したか否かの判断を行い、
商品の返品が完了したと判断した場合には、前記決済機関端末に対して、購入者への商品代金の返金指示を行う、
ことを特徴とする仲介サービス方法。
【発明の詳細な説明】
【技術分野】
【０００１】
本発明は、仲介サービス方法に関し、特にエクスクロー仲介サービス方法に関する。
【背景技術】
【０００２】
オークション等においては、販売者（出品者）や購入者（落札者）の特定及び信用判断が困難であるため、商品の受け渡しや代金の支払いに関するトラブルが発生する場合がある。そこで、そのようなトラブルを解消する仲介サービスの一つとして、エクスクローと呼ばれるサービスがある。エクスクローサービスでは、仲介者が、購入者から代金を預かり、販売者から購入者に商品が渡った場合に、代金を販売者に引渡す。購入者にとっては、代金を支払ったにも係らず商品が届かなかったりするという問題が解消し、販売者からは代金を取り損ねるという問題が解消するというメリットがある。
【０００３】
このようなエクスクローサービスをインターネット上におけるオークションに適用したエクスクロー決済方法が知られている（例えば、特許文献１）。
【０００４】
特許文献１に記載されるエクスクロー決済方法では、落札者及び出品者がエクスクロー決済システムにおいて仮想口座を開設し、オークションにおいて落札者及び出品者で支払い金額が確認されると、落札者の仮想口座から出品者の仮想口座に資金の移動の予約がなされ、所定時間以内に落札者による検品に問題が生じない場合に、落札者の仮想口座から出品者の仮想口座に資金の移動の予約が実行され、出品者は仮想口座に入金した資金を現金化することができる。
【０００５】
しかしながら、上記の決済方法では、落札者及び出品者がエクスクロー決済システムにおいて仮想口座を開設する必要があったり、仮想口座の資金を現金化するためには更なる手続きが必要であったりするという手間がかかった。また、決済システムにおける手続きを行うために、落札者及び出品者に、余分な手数料が必要となるという不具合もあった。さらに、出品者による商品の配送を管理することができないという問題もあった。
【０００６】
【特許文献１】特開２００２−７４２１９号（第４頁）
【発明の開示】
【発明が解決しようとする課題】
【０００７】
そこで、本発明は、上記の不具合を解消することを可能とした仲介サービス方法を提供することを目的とする。
【０００８】
また、本発明は、商品の配送を管理しながら、販売者（出品者）及び購入者（落札者）の手間を簡素化して、確実且つ安全に商品と代金との交換を実行することができる仲介サービス方法を提供することを目的とする。
【課題を解決するための手段】
【０００９】
上記課題を解決するために、本発明に係る仲介サービス方法では、購入者端末に取引ＩＤを送信し、決済機関端末より取引ＩＤを含む入金情報を受信し、入金情報に基づいて、商品に対応する入金がなされた否かの判断を行い、商品に対応する入金がなされたと判断した場合には販売者端末に対して配送ＩＤを送信し、配送拠点端末から前記配送ＩＤを含む配送開始情報を受信し、配送開始情報に基づいて商品の配送が開始された否かの判断を行い、商品の配送が開始されたと判断した場合には決済機関端末に対して販売者への商品代金の入金指示を行う、ことを特徴とする。
【００１０】
上記課題を解決するために、本発明に係る仲介サービス方法では、仲介システムが、販売者端末から商品の配送伝票番号を受信し、宅配業者端末へ配送伝票番号を送信して配送伝票番号に対応した商品の配送状況情報を受信し、宅配業者端末から受信した配送状況情報に基づいて商品の配送が完了したか否かの判断を行い、商品の配送が完了したと判断した場合には決済機関端末に対して販売者への商品代金の入金指示を行う、ことを特徴とする。
【００１１】
また、上記課題を解決するために、本発明に係る仲介サービス方法では、購入者端末から商品の返品に係る配送伝票番号を受信し、宅配業者端末へ前記配送伝票番号を送信して配送伝票番号に対応した商品の配送状況情報を受信し、宅配業者端末から受信した配送状況情報に基づいて商品の返品が完了したか否かの判断を行い、商品の返品が完了したと判断した場合には決済機関端末に対して購入者への商品代金の返金指示を行う、ことを特徴とする。
【発明の効果】
【００１２】
本発明によれば、配送拠点端末からの配送情報に基づいて、商品の配送が開始されたと判断された場合に、代金を販売者へ入金をするので、迅速且つ確実に、商品と代金の交換を完了することができる。
【００１３】
本発明によれば、宅配業者からの配送状況情報に基づいて、商品が配送されたと判断された場合に、初めて代金を販売者へ入金するので、購入者が代金だけ支払って商品を入手することができないという不具合を解消することができる。
【００１４】
本発明によれば、宅配業者からの配送状況情報に基づいて、商品が返品されたと判断された場合に、初めて代金を購入者へ返金するので、購入者が商品を気に入らない場合に、販売者が商品の返品を受けることができないという不具合を解消することができる。
【発明を実施するための最良の形態】
【００１５】
以下図面を参照して、本発明に係る仲介サービス方法について説明する。
【００１６】
図１は、本発明に係る仲介サービスを実行するためのシステム１の概略を示す図である。
【００１７】
システム１では、仲介サービスを実行するための仲介システム２０、販売者（出品者）端末３０、購入者（落札者）端末４０、商品の配送を行う宅配業者端末５０、決済機関端末６０及び配送拠点端末７０が、インターネット１０に接続され、相互にデータの送受信を行える状況下に置かれている。
【００１８】
仲介システム２０は、ルータ２１、ＣＰＵ、ＲＯＭ、ＲＡＭ、ＨＤ等の記憶部、キーボード及びマウス等の操作部、表示部、送受信部等を有するサーバ２２、販売者及び購入者等の顧客情報を記憶する顧客情報ＤＢ２３、取引内容を記憶する取引情報ＤＢ２４等を有している。サーバ２２は、予めＲＯＭ等に記憶されたプログラムに従って、後述する仲介サービスに係るフローを、販売者端末３０、購入者端末４０、宅配業者端末５０、決済機関端末６０及び配送拠点端末７０と協同しながら実行する。
【００１９】
販売者端末３０は、ＣＰＵ、ＲＯＭ、ＲＡＭ、ＨＤ等の記憶部、キーボード及びマウス等の操作部、表示部、送受信部等を有し、インターネット１０の所定のＷＥＢサイト（不図示）上のオークションに参加し、また仲介システム２０へのエクスクローサービスの依頼等を行えるように構成されている。
【００２０】
販売者端末４０は、ＣＰＵ、ＲＯＭ、ＲＡＭ、ＨＤ等の記憶部、キーボード及びマウス等の操作部、表示部、送受信部等を有し、インターネット１０の所定のＷＥＢサイト（不図示）上のオークションに参加し、また仲介システム２０へのエクスクローサービスの依頼等を行えるように構成されている。
【００２１】
宅配業者端末５０は、ＣＰＵ、ＲＯＭ、ＲＡＭ、ＨＤ等の記憶部、キーボード及びマウス等の操作部、表示部、送受信部等を有し、インターネット１０を介して受信した商品の配送情報の問い合わせに対応することができるように、予めプログラムされている。商品の配送情報の問い合わせの対応とは、宅配業者が依頼を受けた商品の配送伝票番号を受信した場合に、通知された配送伝票番号に対応する商品の配送状況情報（商品が存在する集配所の位置や配送先への配送の完了の有無）を受信先へ送信するサービスを言う。したがって、仲介システム２０が、所定の商品の配送伝票番号を宅配業者端末５０に送信することによって、所定の商品の配送が完了したか否かを確認することが可能となる。
【００２２】
決済機関端末６０は、商品を購入した購入者から、商品を販売した販売者に対して商品及び送料その他の付帯費用代金を支払う際に、代金の回収・回収代行業務を提供する、銀行等の決済企業又は決済企業以外の決済仲介企業に配置されたコンピュータ等の端末である。また、決済機関端末６０は、ＣＰＵ、ＲＯＭ、ＲＡＭ、ＨＤ等の記憶部、キーボード及びマウス等の操作部、表示部、送受信部等を有し、所定口座への入金情報を通知したり、所定口座から他の口座への送金指示等を受け付けたりすることができるように予めプログラムされている。したがって、仲介業者等が所有する口座に入金があった場合には、仲介システム２０は、その入金に関する入金情報（入金先、入金金額、入金日時等）を決済機関端末６０から受信することができる。また、仲介システム２０は、仲介業者等が所有する口座から、購入者及び／又は販売者の所有する他の口座へ、指示金額の送金を行うように、決済機関端末６０へ指示情報を送信することができる。
【００２３】
配送拠点端末７０は、宅配業者の配送受付拠点として機能するコンビニエンスストア等に配置され、仲介システム２０とネットワークでつながった端末であって、ＣＰＵ、ＲＯＭ、ＲＡＭ、ＨＤ等の記憶部、キーボード及びマウス等の操作部、表示部、送受信部等を有し、バーコード読み取り部７１、プリンタ７２とも接続されている。
【００２４】
配送拠点端末７０は、販売者が配送する商品を持参してきた場合に、販売者から受け取った配送ＩＤ（後述する）に基づいて、インターネット１０を介して仲介システム２０にアクセスし、配送情報（販売者の住所、氏名、購入者の住所、氏名）を受信して、配送伝票をプリンタ７２から出力する。配送伝票を販売者に示して確認を取り、代金を受け取った後、配送伝票に予め印字されている配送受付ＩＤをバーコードリーダ７１で読取り、配送受付ＩＤ等のデータをインターネット１０を介して仲介システム２０及び宅配業者端末５０に送信する。
【００２５】
配送受付ＩＤを受信した仲介システム２０では、それによって、実際に商品の配送が開始されたことを確認することができる。また、配送受付ＩＤ等を受信した仲介システム２０では、それによって、配送商品に関する情報を得ることができる。
【００２６】
図２は、システム１における仲介システム２０における処理フローの一例を示す図である。
【００２７】
図２に示すフローは、仲介システム２０のサーバ２２が、予め記憶されているプログラムにしたがって実行する。
【００２８】
最初に、インターネット１０上のＷＥＢサイトにおけるオークション等において、販売者と購入者との間で、商品と商品の代金等が決定され、仲介システム２０のエクスクローサービスの提供を受けたい旨の情報が仲介システム２０のサーバ２２で受信されたものとする（Ｓ１）。
【００２９】
次に、サーバ２２は、購入者のユーザ登録（Ｓ２）及び販売者のユーザ登録（Ｓ３）を行い、購入者及び販売者毎に、所定の情報（氏名、住所、メールアドレス、決済機関名、口座番号、ＩＤ番号、パスワード等）を顧客情報ＤＢ２３へ記憶する。
【００３０】
次に、サーバ２２は、販売者と購入者との間で決定された商品と商品の代金等に関する情報を取引情報ＤＢ２４へ記憶する（Ｓ４）。
【００３１】
次に、サーバ２２は、ユニークな取引ＩＤを採番し、Ｓ２３で取引情報ＤＢ２４へ記録された販売者と購入者との間で決定された商品と商品の代金等に関する情報と取引ＩＤとを紐付け、購入者端末４０へ取引ＩＤを送信する（Ｓ５）。なお、サーバ２２は、購入者端末４０へは、取引ＩＤの送信とともに、所定の金額（商品の購入代金、又は更には取引手数料、送料等を含む）の入金指示を合わせて行う。
【００３２】
次に、サーバ２２は、決済機関端末６０に所定時間間隔で問い合わせを行い、購入者による所定の入金が、決済機関の所定口座に対して行われたか否かの確認を行う（Ｓ６）。サーバ２２は、取引情報ＤＢ２４の内容と、決済機関端末６０から受信する取引ＩＤ及び入金金額データとを突合し、所定の入金があったか否かを確認する。なお、サーバ２２は、購入者への入金指示後、所定時間（又は所定日）以内に、所定の入金が確認できない場合には、購入者端末４０に対してメールを送信して、入金の催促を行ったり、サービスの提供自体をキャンセルしたり、するようにしても良い。
【００３３】
サーバ２２は、所定の金額の入金を確認できた場合には、ユニークな配送ＩＤを採番し、Ｓ２３で取引情報ＤＢ２４へ記録された販売者と購入者との間で決定された商品と商品の代金等に関する情報及び取引ＩＤと、配送ＩＤとを紐付ける。次に、サーバ２２は、販売者端末３０へ入金が行われた旨及び配送ＩＤの通知をメールで行い、商品の配送を指示する（Ｓ７）。
【００３４】
販売者は、配送指示と配送ＩＤを受信したら、近くの配送拠点（例えば、仲介システム２０と予めネットワークで接続されているコンビニエンスストア）へ商品を持参し、まずは、配送ＩＤを配送拠点の店員に示す。店員は、配送拠点端末７０から仲介システム２０へアクセスし、配送ＩＤを送信することとなる。
【００３５】
また、サーバ２２は、配送拠点端末７０から配送ＩＤが送信されてきた場合には、配送ＩＤをキーとして取引情報ＤＢ２４を検索し、販売者の住所、氏名、購入者の住所、氏名等の宅配業者の配送伝票を作成するために必要な配送情報を配送拠点端末に送信する。配送拠点端末７０では、受信した配送情報を利用して、配送伝票を作成し、プリンタ７２から出力する。店員は配送伝票を商品を持参した販売者に提示し、内容を確認の上、代金を受け取って、配送処理を行う。配送処理が完了されると、配送拠点端末７０から、仲介システム２０へ、配送ＩＤ及び配送受付ＩＤを含む配送開始情報が送信される。
【００３６】
次に、サーバ２２では、配送拠点端末７０から配送ＩＤ及び配送受付ＩＤを含む配送開始情報が受信がなされたか否かの確認を行う（Ｓ８）。サーバ２２では、配送ＩＤをキーとして取引情報ＤＢ２４を検索し、受信した配送ＩＤ及び配送受付ＩＤに対応する取引を特定する。なお、サーバ２２は、販売者端末３０への入金及び配送ＩＤの通知（Ｓ７）を行ってから、所定時間（所定日）以内に、配送ＩＤ及び配送受付ＩＤを含む配送開始情報の受信ができない場合には、販売者端末３０に対してメールを送信して、商品配送の催促を行ったり、サービスの提供自体をキャンセルしたり、するようにしても良い。サービスの提供自体をキャンセルする場合には、購入者から送金を受けた金額は、そのまま（又は手数料を差し引いて）、購入者が指定する口座へ返金することとなる。
【００３７】
サーバ２２は、配送拠点端末７０から配送ＩＤ及び配送受付ＩＤを含む配送開始情報の受信が確認できた場合には、販売者による商品の配送が開始されたものと考え、特定された取引について、販売者の指定する口座への代金の送金指示を決済機関端末６０へ送信し、さらに、送金処理が完了した旨のメールを販売者端末３０へ送信して（Ｓ９）、一連の作業を終了する。
【００３８】
このように、本発明に係る仲介サービスでは、配送拠点端末７０からの配送開始情報に基づいて、商品配送が開始されたことを確認し、その後販売者への入金処理を行うので、より確実且つ迅速に、商品と代金の交換を行うことが可能となる。
【００３９】
図３は、本発明に係る仲介サービスを実行するための他のシステム２の概略を示す図である。
【００４０】
システム２では、仲介サービスを実行するための仲介システム２０、販売者（出品者）端末３０、購入者（落札者）端末４０及び商品を配送を行う宅配業者端末５０が、インターネット１０に接続され、相互にデータの送受信を行える状況下に置かれている。また、仲介システム２０は、データの送受信が行えるように、決済機関端末６０と接続されている。なお、決済機関端末６０はインターネット１０と接続されていても良い。システム２において、図１に示すシステム１と同様の構成には同じ番号を付して説明を省略する。
【００４１】
図４は、システム２における仲介システム２０における処理フローの一例を示す図である。
【００４２】
図４に示すフローは、仲介システム２０のサーバ２２が、予め記憶されているプログラムにしたがって実行する。
【００４３】
最初に、インターネット１０上のＷＥＢサイトにおけるオークション等において、販売者と購入者との間で、商品と商品の代金等が決定され、仲介システム２０のエクスクローサービスの提供を受けたい旨の情報が仲介システム２０のサーバ２２で受信されたものとする（Ｓ１１）。
【００４４】
次に、サーバ２２は、購入者のユーザ登録（Ｓ１２）及び販売者のユーザ登録（Ｓ１３）を行い、購入者及び販売者毎に、所定の情報（氏名、住所、メールアドレス、決済機関名、口座番号、ＩＤ番号、パスワード等）を顧客情報ＤＢ２３へ記憶する。
【００４５】
次に、サーバ２２は、販売者と購入者との間で決定された商品と商品の代金等に関する情報を取引情報ＤＢ２４へ記録する（Ｓ１４）。
【００４６】
次に、サーバ２２は、決済機関端末６０に所定時間間隔で問い合わせを行い、購入者による所定の入金が、仲介業者の所定口座に対して行われたか否かの確認を行う（Ｓ１５）。なお、サーバ２２は、サービスの開始依頼を受けてから（Ｓ１１）、所定時間（又は所定日）以内に、所定の入金が確認できない場合には、購入者端末４０に対してメールを送信して、入金の催促を行ったり、サービスの提供自体をキャンセルしたり、するようにしても良い。
【００４７】
サーバ２２は、取引情報ＤＢ２４に記憶された代金と同額（又はさらに所定の手数料を追加した金額）の入金を確認できた場合には、販売者端末３０へ入金が行われた旨の通知をメールで行い、所定の宅配業者を利用しての商品の配送及び配送伝票番号の送信を指示する（Ｓ１６）。
【００４８】
次に、サーバ２２は、販売者端末３０からの配送伝票番号の受信がなされたか否かの確認を行う（Ｓ１７）。なお、サーバ２２は、販売者端末３０への入金の通知（Ｓ１６）を行ってから、所定時間（所定日）以内に、配送伝票番号の受信ができない場合には、販売者端末３０に対してメールを送信して、配送伝票番号の送信の催促を行ったり、サービスの提供自体をキャンセルしたり、するようにしても良い。サービスの提供自体をキャンセルする場合には、購入者から送金を受けた金額は、そのまま（又は手数料を差し引いて）、購入者が指定する口座へ返金することとなる。
【００４９】
サーバ２２は、販売者端末３０からの配送伝票番号の受信が確認できた場合には、宅配業者端末５０へ配送伝票番号を送信して、配送伝票番号に対応する商品の配送状況情報を所定時間間隔で取得する（Ｓ１８）。サーバ２２は、配送状況情報によって、商品の購入者への配送が完了したか否かの確認を行い（Ｓ１９）、商品の配送が完了したことが確認された場合には、購入者端末４０へ商品内容に問題が無いか否かの確認メールを送信する（Ｓ２０）。
【００５０】
サーバ２２は、購入者端末４０から、配送された商品に問題が無い旨のメールを受信した場合、又は所定時間（又は所定日）以内に配送された商品に問題が有る旨のメールを受信しなかった場合には、配送された商品に問題が無かったと判断して（Ｓ２１）、販売者の指定する口座への代金の送金指示を決済機関端末６０へ送信し、さらに、送金処理が完了した旨のメールを販売者端末３０へ送信して（Ｓ２２）、一連の作業を終了する。
【００５１】
なお、購入者端末４０から、所定時間（又は所定日）以内に配送された商品に問題が有る旨のメールを受信した場合には、配送された商品に問題が有ったと判断して（Ｓ２１）、購入者端末４０へ、配送された商品を指定の宅配業者を利用して販売者へ返品することと、返送のための配送伝票番号の送信を指示する（Ｓ２３）。さらに、サーバ２２は、販売者端末３０へ、商品の返品が行われる旨のメールを送信する。
【００５２】
次に、サーバ２２は、購入者端末４０からの配送伝票番号の受信がなされたか否かの確認を行う（Ｓ２４）。なお、サーバ２２は、購入者端末４０への返品依頼（Ｓ２３）を行ってから、所定時間（所定日）以内に、配送伝票番号の受信ができない場合には、購入者端末４０に対してメールを送信して、配送伝票番号の送信の催促を行ったり、サービスの提供自体をキャンセルしたり、するようにしても良い。
【００５３】
サーバ２２は、購入者端末４０から配送伝票番号の受信が確認できた場合には、宅配業者端末５０へ配送伝票番号を送信して、配送伝票番号に対応する商品の配送状況情報を所定時間間隔で取得する（Ｓ２５）。サーバ２２は、配送状況情報によって、商品の販売者への返品が完了したか否かの確認を行い（Ｓ２６）、商品の返品が完了したことが確認された場合には、購入者の指定する口座への所定の金額（入金金額又は入金金額から所定の手数料を差し引いた金額）の返金指示を決済機関端末６０へ送信し、さらに、返金処理が完了した旨のメールを販売者端末４０へ送信して（Ｓ２７）、一連の作業を終了する。
【００５４】
このように、本発明に係る仲介サービスでは、宅配業者からの配送状況情報を取得しながら、処理を進めるので、商品が確実に相手先に配送又は返品されたことを確認してから、代金の支払いや返金の支払いの処理を実行でき、より確実且つ安全に、商品と代金の交換を行うことが可能となる。
【図面の簡単な説明】
【００５５】
【図１】本発明に係る仲介サービスを実行するためのシステムの概略を示す図である。
【図２】図１に示すシステムにおける仲介システムの処理フローの一例を示す図である。
【図３】本発明に係る仲介サービスを実行するための他のシステムの概略を示す図である。
【図４】図３に示すシステムにおける仲介システムの処理フローの一例を示す図である。
【符号の説明】
【００５６】
１０    インターネット
２０    仲介システム
３０    販売者端末
４０    購入者端末
５０    宅配業者端末
６０    決済機関端末
７０    配送拠点端末
【図１】
2008102842.tif 000003
【図２】
2008102842.tif 000004
【図３】
2008102842.tif 000005
【図４】
2008102842.tif 000006